(57)【要約】【課題】ヘッドドラムに対して磁気テープを斜めに巻付けて回転するヘッドによって磁気テープ上の斜めのトラック上を走査するようにしたＶＴＲにおいて、とくにヘッドドラムの入口側の部分における磁気テープの案内機構の簡略化を図る。【解決手段】ヘッドドラムに対して入口側に位置するＳ側の案内板１１上のＳ側コースタ１５上に単一の傾斜するテープガイド１７を設けるとともに、このテープガイド１７の上端にテーパ状フランジ５４を設け、このテーパ状フランジ５４によって磁気テープ４４の幅方向の一端を押えてこの磁気テープ４４の幅方向の他端をヘッドドラム１０のリード５９に押圧する。【選択図】  図４
2004192758.tif 000002
【特許請求の範囲】
【請求項１】
ヘッドドラムにテープ状記録媒体を斜めに巻付け、回転するヘッドによってヘリカルスキャン方式の記録および／または再生を行なう記録再生装置において、前記ヘッドドラムに対して前記テープ状記録媒体の供給側に一対の傾斜するテープガイドを設けるとともに、前記一対のテープガイドの内の前記ヘッドドラム側のテープガイドにテーパ状のフランジを設けたことを特徴とする記録再生装置。
【請求項２】
前記ヘッドドラムの外周面上の段差から成るリードに対して前記テープ状記録媒体が押圧される力を発生するように前記ヘッドドラム側のテープガイドに前記テーパ状のフランジを設けたことを特徴とする請求項１に記載の記録再生装置。
【請求項３】
前記ヘッドドラムに対して前記テープ状記録媒体の供給側に一対の傾斜するテープガイドを設けるとともに、前記一対のテープガイドの軸線方向の互いに反対側にそれぞれテーパ状のフランジを設けたことを特徴とする請求項１または請求項２に記載の記録再生装置。
【請求項４】
前記ヘッドドラムに対して前記テープ状記録媒体の供給側に設けられる一対のテープガイドの内の前記ヘッドドラムに最も近いテープガイドが案内手段に沿って前記ヘッドドラムの周囲を移動するコースタ上に設けられるとともに、他方のテープガイドが回動するレバー上に設けられることを特徴とする請求項１〜請求項３にの何れかに記載の記録再生装置。
【請求項５】
前記回転するヘッドが前記テープ状記録媒体上のトラックを２回読出すとともに、読出された出力を合成することを特徴とする請求項１〜請求項４の何れかに記載の記録再生装置。
【請求項６】
回転するヘッドドラムの円周方向の１８０度ずれた位置に２個のヘッドが設けられ、該２個のヘッドの再生出力を合成することを特徴とする請求項５に記載の記録再生装置。
【請求項７】
前記ヘッドドラムに巻付けられたテープ状記録媒体を定速で走行させるキャプスタンを具備し、該キャプスタンを駆動するモータのロータの外周部に対向するように回転検出手段が配され、しかも該回転検出手段の両側にそれぞれ弾性片が片持ち支持され、該弾性片の先端部が前記ロータの外周面に摺接することを特徴とする請求項１に記載の記録再生装置。
【請求項８】
前記キャプスタンが前記モータの出力軸と兼用されることを特徴とする請求項７に記載の記録再生装置。
【請求項９】
ヘッドドラムにテープ状記録媒体を斜めに巻付け、回転するヘッドによってヘリカルスキャン方式の記録および／または再生を行なう記録再生装置において、前記ヘッドドラムに対して前記テープ状記録媒体の供給側に設けられた一対の傾斜するテープガイドによって前記テープ状記録媒体を案内しながら前記ヘッドドラムに巻付け、このときに前記一対のテープガイドの内の前記ヘッドドラム側に配されたテープガイドの軸線方向の一端に設けられたテーパ状のフランジによって前記テープ状記録媒体を幅方向に案内することを特徴とする記録再生装置のテープ状記録媒体の案内方法。
【請求項１０】
前記テープ状記録媒体の幅方向の反対側のエッジが前記ヘッドドラムの段差から成るリードに押圧されるように前記テープガイドのテーパ状のフランジが前記テープ状記録媒体を幅方向に案内することを特徴とする請求項９に記載の記録再生装置のテープ状記録媒体の案内方法。
【発明の詳細な説明】
【０００１】
【発明の属する技術分野】
本発明は記録再生装置およびそのテープ状記録媒体の案内方法に係り、とくにヘッドドラムにテープ状記録媒体を斜めに巻付け、回転するヘッドによってヘリカルスキャン方式の記録および／または再生を行なう記録再生装置およびそのテープ状記録媒体の案内方法に関する。
【０００２】
【従来の技術】
ＶＴＲ（Ｖｉｄｅｏ  Ｔａｐｅ  Ｒｅｃｏｒｄｅｒ）は固定ドラムと回転ドラムとから成るヘッドドラムの外周部に磁気テープを斜めに巻付けてキャプスタンによって一定の速度で走行させ、上記回転ドラムに設けられている磁気ヘッドによってテープ状記録媒体に対して斜めに走査することによって、ヘリカルスキャン方式の記録および／または再生を行なうようになっている。すなわち磁気テープの長さ方向に対して斜めに傾いたトラック上を磁気ヘッドが走査しながら信号の書込みあるいは信号の読出しを行なう。
【０００３】
【発明が解決しようとする課題】
上述のようなヘリカルスキャン方式の記録あるいは再生を達成するために、図３に示すようにテープカセット４０から引出された磁気テープ４４を回転ドラム１０に斜めに巻付けなければならない。そこで回転ドラム１０の前後に傾斜ガイドが配置される。また磁気テープ４４を回転ドラム１０の外周面に形成される段差から成るリードに沿って走行するように、所定の高さで規制するためのテープ高さ規制ガイド１７、１９が図４Ｂに示すようにヘッドドラム１０の入口および出口の傾斜ガイド５２、１９の前後に配される。ここでテープ高さ規制ガイド１７、１９には、磁気テープ４４の高さを規制するための直角フランジ５７、５８が設けられており、テープ４４の幅方向の端部であって上側の部分に対してテープを垂直に押えるようにしている。
【０００４】
一方磁気テープ４４はテープ高さ調整ガイド１７、１９に対して上方に向うようなバイアス力が与えられた状態で走行するようになっており、いわゆる「上向き走行」となるようにテープパスが設定されている。従ってテープ高さ調整ガイド１７、１９の高さあるいは直角フランジ５７、５８の位置を変えることによって磁気テープ４４を規制する位置を変えることができる。これによって磁気テープ４４の下端を回転ドラム１０のリード５９の上面に沿わせるように磁気テープ４４の高さを調整することができる。テープカセット４０のテープ供給側（Ｓ側）および巻取り側（Ｔ側）には、磁気テープ４４を案内するためのガイド２４、２７が配されている。図４Ｂに示すように回転ドラム１０の前後の傾斜ガイド５２、１８およびテープ高さ調整ガイド１７、１９はＳ側コースタ１５およびＴ側コースタ１６上に所定の角度で搭載されている。これらがテープローディング時に磁気テープ４４をテープカセット４０から引出すローディング機構を構成している。
【０００５】
ところがとくに図５Ｂに示すようにＳ側コースタ１５上に垂直に立設されるテープ高さ調整ガイド１７に対して、一定の方向に所定の角度で傾斜してテープガイド５２を組立てる必要がある。ここでとくに傾斜するテープガイド５２を高精度に組立てるのは非常に難しく、このためにテープガイド１７、５２を有するＳ側のコースタアッセンブリが高精度の精密部品となって、そのコストが高くなる問題がある。これはとくに回転ドラム１０の直前の位置に傾斜するガイド５２を設けることによる。
【０００６】
本発明はこのような問題点に鑑みてなされたものであって、とくに回転ドラムの入口側の部分において高精度な傾斜ガイドを用いることなくしかも良好なヘリカルスキャン方式の記録および／または再生を可能にするようにした記録再生装置およびそのテープ状記録媒体の案内方法を提供することを目的とする。
【０００７】
【課題を解決するための手段】
本願の主要な発明は、
ヘッドドラムにテープ状記録媒体を斜めに巻付け、回転するヘッドによってヘリカルスキャン方式の記録および／または再生を行なう記録再生装置において、前記ヘッドドラムに対して前記テープ状記録媒体の供給側に一対の傾斜するテープガイドを設けるとともに、前記一対のテープガイドの内の前記ヘッドドラム側のテープガイドにテーパ状のフランジを設けたことを特徴とする記録再生装置に関するものである。
【０００８】
ここで前記ヘッドドラムの外周面上の段差から成るリードに対して前記テープ状記録媒体が押圧される力を発生するように前記ヘッドドラム側のテープガイドに前記テーパ状のフランジを設けることが好ましい。また前記ヘッドドラムに対して前記テープ状記録媒体の供給側に一対の傾斜するテープガイドを設けるとともに、前記一対のテープガイドの軸線方向の互いに反対側にそれぞれテーパ状のフランジを設けることが好適である。また前記ヘッドドラムに対して前記テープ状記録媒体の供給側に設けられる一対のテープガイドの内の前記ヘッドドラムに最も近いテープガイドが案内手段に沿って前記ヘッドドラムの周囲を移動するコースタ上に設けられるとともに、他方のテープガイドが回動するレバー上に設けられることが好適である。
【０００９】
また前記回転するヘッドが前記テープ状記録媒体上のトラックを２回読出すとともに、読出された出力を合成することが好適である。また回転するヘッドドラムの円周方向の１８０度ずれた位置に２個のヘッドが設けられ、該２個のヘッドの再生出力を合成することが好ましい。
【００１０】
また前記ヘッドドラムに巻付けられたテープ状記録媒体を定速で走行させるキャプスタンを具備し、該キャプスタンを駆動するモータのロータの外周部に対向するように回転検出手段が配され、しかも該回転検出手段の両側にそれぞれ弾性片が片持ち支持され、該弾性片の先端部が前記ロータの外周面に摺接することが好ましい。また前記キャプスタンが前記モータの出力軸と兼用されることが好適である。
【００１１】
テープ状記録媒体の案内方法に関する主要な発明は、
ヘッドドラムにテープ状記録媒体を斜めに巻付け、回転するヘッドによってヘリカルスキャン方式の記録および／または再生を行なう記録再生装置において、前記ヘッドドラムに対して前記テープ状記録媒体の供給側に設けられた一対の傾斜するテープガイドによって前記テープ状記録媒体を案内しながら前記ヘッドドラムに巻付け、このときに前記一対のテープガイドの内の前記ヘッドドラム側に配されたテープガイドの軸線方向の一端に設けられたテーパ状のフランジによって前記テープ状記録媒体を幅方向に案内することを特徴とする記録再生装置のテープ状記録媒体の案内方法に関するものである。ここで前記テープ状記録媒体の幅方向の反対側のエッジが前記ヘッドドラムの段差から成るリードに押圧されるように前記テープガイドのテーパ状のフランジが前記テープ状記録媒体を幅方向に案内することが好適である。
【００１２】
本願に含まれる発明の好ましい態様は、１本のトラックを２回再生して出力を合成するフォーマットの記録再生装置において、図４Ａに示すようにテープカセットから引出されたテープ状記録媒体を回転ドラムに斜めに巻付けるための入口側の傾斜ガイド１７をテープの高さ規制ガイドと兼用することによって、図４Ｂに示す入口側の傾斜ガイド５２を無くすとともに、テープローディング時やテープ走行時にテープ状記録媒体の幅方向の端部であって回転ドラムのリードと接触する部分とは反対側のエッジの部分にダメージを与えないように上記の傾斜ガイド１７の上側にテーパ状フランジ５４を設けるようにしたものである。
【００１３】
このような態様によれば、回転ドラムの入口側の傾斜ガイドを１本減らすことが可能になり、これによって部品点数が削減される。またコースタ上にテープ高さ規制ガイドとともに傾斜ガイドを立設してマウントする必要がなくなってコースタアッセンブリの組立ておよび検査工程でのコストダウンが可能になる。また残存する高さ規制ガイドと他のテープガイドとの間の間隔に余裕が生ずるために、テープガイドのレイアウトに自由度が増大するとともに、記録再生装置の小型化に寄与する。また上述のテーパ状フランジによって磁気テープの対応する幅方向の端部に加えられるダメージを未然に防止することが可能になる。
【００１４】
【発明の実施の形態】
図１は本願発明の一実施の形態に係るＶＴＲの全体の概要を示すものであって、図示を省略したメカ基板上には回転ドラムと固定ドラムとから成るヘッドドラム１０が配置される。そしてヘッドドラム１０の左右の両側にはそれぞれ供給側（Ｓｕｐｐｌｙ側、略してＳ側、以下同じ）案内板１１と巻取り側（Ｔａｋｅ−ｕｐ側、略してＴ側、以下同じ）案内板１２とが配される。これらの案内板１１、１２にはそれぞれ案内溝１３、１４が形成され、これらの案内溝１３、１４に沿って移動自在にコースタ１５、１６が配される。Ｓ側コースタ１５上にはテープガイド１７が立設され、Ｔ側コースタ１６上にはテープガイド１８、１９が立設される。
【００１５】
上記Ｓ側案内板１１の斜め側方には引出しレバー２３が配され、その先端部にテープガイド２４が立設される。これに対してＴ側案内板１２の斜め側方にはＴ側引出しレバー２５が配され、その上にはピンチローラ２６とテープガイド２７とがマウントされる。なお上記引出しレバー２３、２５はそれぞれ支点ピン４６、４７を中心として回動自在になっている。また上記ピンチローラ２６が圧接されるようにＴ側案内板１２の側方にはキャプスタン２８が配される。キャプスタン２８はキャプスタンモータ２９によって一定の速度で回転駆動されるようになっている。
【００１６】
上記左右の引出しレバー２３、２５の斜め側方にはそれぞれＳ側リール台３１とＴ側リール台３２とが配される。なおこのリール台３１、３２および引出しレバー２３、２５はメカ基板上を図１において上下方向に移動自在になっているスライドシャーシ３３上にマウントされるようになっている。
【００１７】
このようなＶＴＲにおいて、上記スライドシャーシ３３上のリール台３１、３２の上にテープカセット４０が図２に示すように装着されるようになっている。テープカセット４０はＳ側リール４１とＴ側リール４２とを備え、これらのリール４１、４２によって両端が止着された状態で磁気テープ４４が巻装されている。またテープカセット４０はその筐体であって前方側の部分に切込み４３が形成され、これによってテープカセット４０がリール台３１、３２上に装着されると、切込み４３によって形成される凹部内にテープガイド２４、１７、１８、１９、２７、およびピンチローラ２６が入込むようになっている。
【００１８】
図４Ａはテープカセット４０内の磁気テープ４４が回転ドラム１０に架装された場合における磁気テープ４４の案内手段を展開して示したものであって、磁気テープ４４がヘッドドラム１０に斜めに巻付けられて通常の記録再生が行なわれる場合には、Ｓ側リール４１から引出された磁気テープ４４はテープガイド２４、１７、１８、１９、キャプスタン２８、テープガイド２７にそれぞれ案内された状態で、ピンチローラ２６がキャプスタン２８に磁気テープ４４を圧着するために、このキャプスタン２８の周速と同一の速度で定速走行する。なお図４Ｂは従来のＶＴＲの磁気テープ４４の案内手段を対比のために展開して示している。
【００１９】
ここでとくにテープガイド２４には図４Ａに示すようにその下端にテーパ状フランジ５３が設けられ、ヘッドドラム１０の直前のテープガイド１７にはその上端にテーパ状フランジ５４が設けられていることを大きな特徴とする。すなわち磁気テープ４４の幅方向の互いに反対側の部分をテープガイド２４のテーパ状フランジ５３とテープガイド１７のテーパ状フランジ５４とによって規制するようにしている。とくにテーパ状フランジ５４を備えるテーパガイド１７は回転ドラム１０の外表面に形成された段差から成るリード５９に対して磁気テープ４４を押圧するような力を与えるようになっており、これによって磁気テープ４４を幅方向であってヘッドドラム１０の高さ方向に規制している。
【００２０】
図４Ｂに示す従来のＶＴＲの場合には、テープガイド２４の上下にそれぞれ直角フランジ５５、５６が設けられ、さらにテープガイド１７の上端に直角フランジ５７が設けられ、出口側のテープガイド１９の上端に直角フランジ５８が設けられていた。ここでとくにテープガイド１７、１９が高さ規制ガイドを構成しており、これらの高さ規制ガイド１７、１９によって磁気テープ４４の回転ドラム１０のリード５９と接触する部分とは反対側のエッジの部分を規制していた。これに対して本願の場合には、従来の入口側のテープガイド１７と傾斜ガイド５２との組合わせをテープガイド１７によって置換えるようにし、このテープガイド１７を傾斜させるとともにその上端にテーパ状フランジ５４を設けた構成としている。
【００２１】
次に上記Ｔ側引出しレバー２５上のピンチローラ２６が磁気テープ４４を圧着するキャプスタン２８の駆動部の構造について図１０および図１１により説明する。キャプスタンモータ２９は図１１に示すように偏平なカップ状をなすロータヨーク６０を備えるとともに、このロータヨーク６０の内側に円周方向に沿ってリング状の駆動用マグネット６１が配されている。駆動用マグネット６１はその上面に固定配置されたプリント基板６２の下面にマウントされているセグメント状の偏平型コイル６３と対向するようになっており、マグネット６１の磁束とコイル６３を流れる電流とが鎖交してトルクを発生するように構成されている。そして上記ロータヨーク６０の外側であって外周面上には被検出用マグネット６４が配されている。このマグネット６４はロータの回転検出を行なうためのものであって、外周部に配された磁気抵抗素子６５と対向している。そして上記磁気抵抗素子６５の両側にはとくに図１０に示すように、弾性片６６が取付けられている。弾性片６６の自由端側は上記ロータヨーク６０の外周面に弾性的に摺接し、これによって磁気抵抗素子６５とロータヨーク６０との間にゴミ等が侵入しないようになっている。
【００２２】
次に以上のような構成に係るＶＴＲの動作について説明する。図１に示すようにスライドシャーシ３３がヘッドドラム１０から離間した状態において図２に示すようにテープカセット４０を装着し、そのリール４１、４２をそれぞれスライドシャーシ３３上のリール台３１、３２に係合させる。このときにテープカセット４０の切込み４３を横切るように磁気テープ４０が掛渡されているために、磁気テープ４４と切込み４３との間に引出しレバー２３上のテープガイド２４、コースタ１５上のテープガイド１７、コースタ１６上のテープガイド１８、１９、および引出しレバー２５上のピンチローラ２６、テープガイド２７がそれぞれ侵入する。
【００２３】
以上のような状態において図３に示すようにスライドシャーシ３３がヘッドドラム１０に近接する方向に摺動動作する。またほぼ同時に左右の引出しレバー２３、２５がそれぞれ支点ピン４６、４７を中心として反時計方向および時計方向に回動される。またＳ側コースタ１５およびＴ側コースタ１６がそれぞれ案内板１１、１２の案内溝１３、１４に沿ってヘッドドラム１０の左側および右側に沿って移動する。なおコースタ１５、１６は案内溝１３、１４の終端に位置する衝当てガイド４８、４９に当接した状態でその位置および姿勢を規制されて停止する。
【００２４】
このようにしてテープローディングが完了すると、磁気テープ４４は図３および図４Ａに示すように、テープガイド２４、１７、１８、１９、キャプスタン２８、テープガイド２７に案内された状態でヘッドドラム１０の外周面に斜めに巻付けられる。なおこのときの磁気テープ４４の状態を展開して示したのが図４Ａである。なお図４Ｂは従来のＶＴＲの対応する状態を示す。
【００２５】
このように回転ドラム１０の外周面に斜めに磁気テープ４４が巻付けられた状態で、回転ドラム１０が例えば毎秒１００回転（６０００ｒｐｍ）で回転されるとともに、ピンチローラ２６によってキャプスタン２８に磁気テープ４４が圧着されるためにキャプスタン２８の周速と同一の速度で磁気テープ４４が走行する。このときに磁気テープ４４はテープカセツト４４のＳ側リール４１から繰出され、Ｔ側リール４２に巻取られる。
【００２６】
ここでとくに本実施の形態のＶＴＲは、１本のトラックを２回再生して再生出力を合成するダブルスキャン方式によって再生動作を行なうようにし、これによって磁気テープ４４上のトラックの幅を狭くしており、例えば幅が５μｍのトラックに信号の書込みを行なうことを実現している。
【００２７】
図７に示すように回転ドラム１０上には円周方向に４６度の間隔で２個の記録専用ヘッドが設けられ、これらの記録専用ヘッドが１回転毎に交互に記録を行なうようにしている。ここでドラム１０が１００ｒｐｓなので、１秒間に１００本のトラックが磁気テープ４４上に記録される。すなわちＰチャンネルのトラック５０本とＭチャンネルのトラック５０本をＭチャンネルの記録ヘッドとＰチャンネルの記録ヘッドによって交互に記録する。
【００２８】
これに対して再生動作は、回転ドラム上に円周方向に１８０度ずれて配置された２個の再生ヘッドによって順次行なうようにしている。しかもドラムの回転数が１００ｒｐｓなので、１分間に２００本のトラックの再生が可能になる。すなわち１秒間にＰチャンネルの再生信号が１００回、Ｍチャンネルの再生信号が１００回再生される。従って記録された１本のトラックは再生ヘッドで２回ずつ再生されるダブルスキャン方式が達成される。
【００２９】
再生ヘッドによって再生された再生信号は図８に示すように一旦メモリに記憶される。このダブルスキャン方式においては再生されたデータ（シンクブロック単位）を順次大きなメモリエリアに貼付けていき、ダブルスキャンによって複数回再生されたデータは正しいものからメモリに貼付けられるようになっており、これによって従来よりも格段に高い信頼性のある再生信号が得られる。
【００３０】
図９はこのようなダブルスキャン方式の原理を模式的に示したものであって、従来のＶＴＲの場合には湾曲したトラック上をヘッドが走査した場合にはトラックに対して磁気ヘッドが外れた位置で再生出力が低下し、これによって再生信号の欠落が起る。これに対してダブルスキャン方式によれば、湾曲したトラック上をヘッドが走査した場合に発生する再生出力の欠落を２回目の再生出力と併せて合成することによって補うようにし、これによってほぼ完全な再生出力を信号の処理によって合成して作成している。すなわちダブルスキャン方式においては１本のトラックを２回再生し、湾曲したトラックでも確実に再生信号をとらえることを可能にし、これによって、例えば５μｍの狭トラックによる記録再生を実現している。
【００３１】
このように本実施の形態のＶＴＲはローディング状態において図３に示すようなテープパスを形成する。このときのテープパスを展開すると図４Ａに示すようになる。このテープパスによる磁気テープ４４の案内の特徴は、ヘッドドラム１０の入口側のコースタ１５に図５Ａに示すようなテーパ状フランジ５４を有するテープガイド１７が１本しか設けられていないことである。そしてこのようなテーパ状フランジ５４を有する傾斜ガイド１７によって磁気テープ４４の幅方向の位置、すなわちテープ高さを調整する。とくにこのテーパ状フランジ５４を有する傾斜ガイド１７の１本によって図５Ｂに示すような従来のテープ高さ調整用ガイド１７と傾斜ガイド５２の２本分の機能を持たせるようにしたことを大きな特徴としている。
【００３２】
図４Ａに示すようにテープガイド２４、１７をともに傾斜させることと、Ｓ側リール４１−テープガイド２４間、およびテープガイド２４−テープガイド１７間で磁気テープ４４をひねることによって磁気テープ４４をテープガイド１７に傾くことなくラップする場合には、テープガイド１７のフランジ形状は従来と同じ形状、すなわち図６Ｂに示す形状の直角フランジ５７でも磁気テープ４４の上端側のエッジのダメージは発生しない。しかるに小型化による寸法の制約等で磁気テープ４４の方向を完全に変えることができなかったり、磁気テープ４４の幅方向のテンション分布を均一にするために、磁気テープ４４をひねらない場合には、図６Ｃに示すように磁気テープ４４がテープガイド１７に対して斜めに巻付くようになる。
【００３３】
従ってこのような場合に図６Ｃに示すように直角フランジ５７によって磁気テープ４４の高さ調整を行なうと、直角フランジ５７がテープガイド１７に侵入する磁気テープ４４の幅方向の上側のエッジを押えることになり、これによって磁気テープ４４の上端にダメージを生ずる。そこで本実施の形態においては、図６Ａに示すように、磁気テープ４４をテープガイド１７に対して斜めに巻付けるようにするとともに、磁気テープ４４の幅方向の上側のエッジの部分がダメージを受けるのを防止するために、直角フランジ５７に代えてテーパ状フランジ５４を採用している。これによって磁気テープ４４が安定的に規制されるようになる。しかも磁気テープ４４によって上述のダブルスキャン方式で再生を行なうようにしているために、高精度の再生動作が可能になる。
【００３４】
本実施の形態のとくにヘッドドラム１０の侵入側における磁気テープ４４の案内方式によれば、図４Ｂおよび図５Ｂに示すテープガイド５２が削減されて材料費が下がる。またＳ側コースタ１５上におけるテープガイド１７の組立てが容易になることによって、組立ておよび検査工程でのコストダウンが可能になる。またテープガイド１７と他のテープガイドとの間の間隔やテープガイド１７と回転ドラム１０との間の間隔に余裕ができるために、ガイドレイアウトの自由度が増大し、ＶＴＲのメカデッキの小型化に寄与する。またテープガイド１７のテーパ状フランジ５４によって磁気テープ４４の幅方向の上端のダメージが防止される。
【００３５】
また本実施の形態において磁気テープ４４を定速走行させるキャプスタン２８の駆動のためのキャプスタンモータ２９はロータ６０の外周側の被検出用マグネット６４を検出するための磁気抵抗素子６５を備えるとともに、この磁気抵抗素子６５の両側にはシート状の弾性片６６が取付けられている。これらの弾性片６６は軽い押圧力によってロータヨーク６０の外周面上の被検出用マグネット６４の外表面に摺接している。なお上記弾性片６６はとくに図１１から明らかなように、被検出用マグネット６４の高さ方向の全幅よりも大きな厚みになっており、これによって回転時に被検出用マグネット６４の厚み方向の総てを覆うように接触することになる。
【００３６】
従来のキャプスンモータでは図１４に示すようにゴミ６７が付着して例えば時計方向に回転している場合には、ゴミ６７が図１５に示すように被検出用マグネット６４と磁気抵抗素子６５との間に入込み、とくにゴミ６７の大きさが被検出用マグネット６４と磁気抵抗素子６５との間の隙間よりも大きい場合には、両者の間に挟まってロータ６０の回転を阻害する。
【００３７】
これに対して本実施の形態のキャプスタンモータ２９は図１２および図１３に示すように、ロータ６０がゴミ６７が付着した状態で回転したとしても、弾性片６６の作用によってゴミ６７が排除され、被検出用マグネット６４と磁気抵抗素子６５との間にゴミ６７が挟まれることがない。しかも弾性片６６ガ磁気抵抗素子６５の両側に配されているために、逆方向に回転した場合であっても弾性片６６によってゴミ６７が確実に排除されることになる。
【００３８】
従ってゴミ６７の付着によってキャプスタンモータ２９が回転しなくなる問題が解決される。また安価な弾性片６６と簡単な形状とによってゴミの排除の実現が可能になる。さらにはゴミの侵入経路を塞ぐための対策が不要になって、キャプスタンモータ２９の周囲の設定の自由度が向上する。
【００３９】
以上本願発明を図示の一実施の形態によって説明したが、本願発明は上記実施の形態によって限定されることなく、本願に含まれる発明の技術的思想の範囲内において各種の変更が可能である。例えば上記実施の形態は、ヘッドドラム１０に対して近接および離間可能なスライドシャーシ３３上に一対のリール台３１、３２と引出しレバー２３、２５とを設けた方式のＶＴＲに関するものであるが、本願発明は必ずしもスライドシャーシ３３を備えないＶＴＲにも適用可能である。また本願発明は、ビデオ信号以外のオーディオ信号やデータの記録のためのヘリカルスキャン方式の記録再生装置にも広く適用可能である。
【００４０】
【発明の効果】
本願の主要な発明は、ヘッドドラムにテープ状記録媒体を斜めに巻付け、回転するヘッドによってヘリカルスキャン方式の記録および／または再生を行なう記録再生装置において、ヘッドドラムに対してテープ状記録媒体の供給側に一対の傾斜するテープガイドを設けるとともに、該一対のテープガイドの内のヘッドドラム側のテープガイドにテーパ状のフランジを設けたものである。
【００４１】
従ってこのような記録再生装置によれば、ヘッドドラムの入口側におけるテープ状記録媒体の案内部の機構の簡素化を図ることが可能になり、よりシンプルであってしかも低コストの記録再生装置の提供が可能になる。
【００４２】
テープ状記録媒体の案内方法に関する主要な発明は、ヘッドドラムにテープ状記録媒体を斜めに巻付け、回転するヘッドによってヘリカルスキャン方式の記録および／または再生を行なう記録再生装置において、ヘッドドラムに対してテープ状記録媒体の供給側に設けられた一対の傾斜するテープガイドによってテープ状記録媒体を案内しながらヘッドドラムに巻付け、このときに一対のテープガイドの内のヘッドドラム側に配されたテープガイドの軸線方向の一端に設けられたテーパ状のフランジによってテープ状記録媒体を幅方向に案内するようにしたものである。
【００４３】
従ってこのようなテープ状記録媒体の案内方法によれば、テープ状記録媒体の幅方向の端部にダメージを与えることなくしかもテープ状記録媒体をヘッドドラムに対して正しく巻付けることが可能になる。
【図面の簡単な説明】
【図１】ＶＴＲの要部平面図である。
【図２】同ＶＴＲ上にテープカセットを装着した状態の平面図である。
【図３】同磁気テープのローディングを行なった状態の平面図である。
【図４】本願の実施の形態（Ａ）および従来（Ｂ）の磁気テープの案内の機構を示す展開平面図である。
【図５】本願の実施の形態（Ａ）および従来（Ｂ）のＳ側コースタ上のテープガイドを示す外観斜視図である。
【図６】本願の実施の形態（Ａ）および従来（Ｂ、Ｃ）のＳ側コースタによる磁気テープの案内を示す要部平面図である。
【図７】ダブルスキャン方式による信号の記録と再生の動作を示す平面図である。
【図８】再生された信号のメモリに対する書込み動作を示す平面図である。
【図９】再生出力の合成動作を示す平面図である。
【図１０】キャプスタンモータの底面図である。
【図１１】一部を破断したキャプスタンモータの正面図である。
【図１２】ロータの外周部にゴミが付着した状態の底面図である。
【図１３】同ゴミの排除動作を示す底面図である。
【図１４】従来のキャプスタンモータにおけるロータに対するゴミの付着を示す底面図である。
【図１５】同ゴミの侵入動作を示す底面図である。
【符号の説明】
１０‥‥ヘッドドラム、１１‥‥案内板（Ｓ側）、１２‥‥案内板（Ｔ側）、１３‥‥案内溝（Ｓ側）、１４‥‥案内溝（Ｔ側）、１５‥‥コースタ（Ｓ側）、１６‥‥コースタ（Ｔ側）、１７‥‥テープガイド（Ｓ側）、１８‥‥テープガイド（Ｔ側）、１９‥‥テープガイド（Ｔ側）、２３‥‥引出しレバー（Ｓ側）、２４‥‥テープガイド（Ｓ側）、２５‥‥引出しレバー（Ｔ側）、２６‥‥ピンチローラ、２７‥‥テープガイド（Ｔ側）、２８‥‥キャプスタン、２９‥‥キャプスタンモータ、３１‥‥リール台（Ｓ側）、３２‥‥リール台（Ｔ側）、３３‥‥スライドシャーシ、４０‥‥テープカセット、４１‥‥リール（Ｓ側）、４２‥‥リール（Ｔ側）、４３‥‥切込み、４４‥‥磁気テープ、４６、４７‥‥支点ピン、４８、４９‥‥衝当てガイド、５２‥‥テープガイド、５３、５４‥‥テーパ状フランジ、５５〜５８‥‥直角フランジ、５９‥‥リード、６０‥‥ロータヨーク、６１‥‥駆動用マグネット、６２‥‥プリント基板、６３‥‥偏平型コイル、６４‥‥被検出用マグネット、６５‥‥磁気抵抗素子、６６‥‥弾性片、６７‥‥ゴミ
【図１】
2004192758.tif 000003
【図２】
2004192758.tif 000004
【図３】
2004192758.tif 000005
【図４】
2004192758.tif 000006
【図５】
2004192758.tif 000007
【図６】
2004192758.tif 000008
【図７】
2004192758.tif 000009
【図８】
2004192758.tif 000010
【図９】
2004192758.tif 000011
【図１０】
2004192758.tif 000012
【図１１】
2004192758.tif 000013
【図１２】
2004192758.tif 000014
【図１３】
2004192758.tif 000015
【図１４】
2004192758.tif 000016
【図１５】
2004192758.tif 000017